(57)【要約】【課題】  パレットに対してＩＣタグを取り付ける際に、その取付に掛かる手間を小さくするとともに、フォークリフトのフォークとの接触によるＩＣタグの損傷を防止することができるパレット用識別器およびパレットを提供する。【解決手段】  パレット１における内桁１３の内側面に無線識別タグ３が取り付けられており、無線識別タグ３は、タグホルダ２に収容されている。タグホルダ２における側面２３〜２５には、パレット１における内桁１３の内側面から遠ざかるほど、タグホルダ２の内方向に変位する傾斜が付されている。【選択図】  図１
2013237455.tif 000002
【特許請求の範囲】
【請求項１】
フォークリフトにおけるフォークが挿入される挿入孔が形成され、前記フォークリフトに持ち上げられるパレットに取り付けられる無線識別タグを備えるパレット用識別器であって、
前記無線識別タグと前記フォークリフトにおける前記フォークとの干渉を防止するフォーク干渉防止構造が形成されていることを特徴とするパレット用識別器。
【請求項２】
前記フォーク干渉防止構造は、前記パレットに取り付けられた前記無線識別タグを覆うタグホルダを備え、
前記タグホルダは、前記パレットにおける内側面から突出して前記パレットに取り付けられており、
前記タグホルダにおける側面に、前記パレットにおける内側面から遠ざかるほど前記タグホルダの内方向に変位する傾斜が形成されている請求項１に記載のパレット用識別器。
【請求項３】
前記傾斜が、前記タグホルダにおける前記フォークリフトにおける前記フォークの挿入方向に対して相対する相対面に形成されている請求項２に記載のパレット用識別器。
【請求項４】
前記パレットは、天板と底板とを備えるとともに、前記底板で前記天板を支持させる内桁と外桁とを備え、前記内桁に前記内側面が形成されており、
前記内側面に前記タグホルダが固定されている請求項２または請求項３に記載のパレット用識別器。
【請求項５】
前記パレットにおける天板に、前記タグホルダを貫通させる貫通孔が形成され、
前記タグホルダは、タグホルダ保持部に取り付けられており、
前記タグホルダ保持部は、前記貫通孔を貫通して前記タグホルダを保持するとともに、前記パレットにおける前記天板に形成された貫通孔に係止されるフランジ部を備える請求項２〜請求項４のうちのいずれか１項に記載のパレット用識別器。
【請求項６】
前記フォーク干渉防止構造として前記パレットの内側面にタグ収容部が形成され、前記タグ収容部に前記無線識別タグが収容され、前記無線識別タグを覆って蓋部材が前記タグ収容部に取り付けられており、
前記蓋部材は、前記パレットの内側面に対して、面一または面一よりも凹んだ位置に配設されている請求項１に記載のパレット用識別器。
【請求項７】
請求項２〜請求項５のうちのいずれか１項に記載されたパレット用識別器に用いられるタグホルダ。
【請求項８】
請求項１〜請求項６のうちのいずれか１項に記載されたパレット用識別器が設けられているパレット。
【発明の詳細な説明】
【技術分野】
【０００１】
本発明は、フォークリフトなどによって搬送される搬送物を搭載するパレットを識別するパレット用識別器およびこのパレット用識別器が設けられるパレットに関する。
【背景技術】
【０００２】
多数の荷物をトラックなどに積み込む際、ばらばらに積み込んでいては積み込み作業等に手間が掛かるため、パレットに多数の荷物をまとめて積載して、パレットごと荷物を積み込むことが行われている。また、この種のパレットとして、フォークリフトによる積み込み作業を容易にするため、フォークリフトのフォークが挿入可能な挿入孔が形成されているものが多く用いられている。
【０００３】
さらに、パレットは多数用いられることが多いため、各パレットのそれぞれに対してＩＤタグなどの無線識別タグを取り付け、個々のパレットを識別可能としたパレットがある。このようなパレットとして、従来、フォーク差込口が設けられた２側面に貫通する貫通孔が設けられており、その貫通孔の内部に非接触型ＩＣタグが設けられているパレットがある（たとえば、特許文献１参照）。
【先行技術文献】
【特許文献】
【０００４】
【特許文献１】特開２００５−１１９６７０号公報
【発明の概要】
【発明が解決しようとする課題】
【０００５】
しかし、上記特許文献１に開示されたパレットでは、フォーク差込口の間に形成された貫通孔に無線識別タグ（非接触型ＩＣタグ）が取り付けられている。このため、無線識別タグを取り付けるための貫通孔を形成する必要があるため、その分手間がかかるものであった。特に、フォーク差込口の間に貫通孔が形成されていない既成のパレットに対して新たに無線識別タグを取り付けることを考えた場合、パレットに対して新たに貫通孔を形成しなければならず、その手間は非常に大きくなる。
【０００６】
また、無線識別タグをパレットに取り付ける際には、フォーク差込口となる挿入孔の内側に直接無線識別タグを取り付けることが考えられる。しかし、挿入孔には、パレットを搬送する際にフォークリフトのフォークが挿入される。このため、挿入孔に無線識別タグを取り付けると、フォークリフトのフォークによって無線識別タグを損傷させるおそれがあるという問題があった。
【０００７】
そこで、本発明の課題は、パレットに対して無線識別タグを取り付ける際に、その取付に掛かる手間を小さくするとともに、フォークリフトのフォークとの接触による無線識別タグの損傷を防止することができるパレット用識別器およびパレットを提供することにある。
【課題を解決するための手段】
【０００８】
上記課題を解決した本発明に係るパレット用識別器は、フォークリフトにおけるフォークが挿入される挿入孔が形成され、フォークリフトに持ち上げられるパレットに取り付けられる無線識別タグを備えるパレット用識別器であって、無線識別タグとフォークリフトにおけるフォークとの干渉を防止するフォーク干渉防止構造が形成されていることを特徴とする。
【０００９】
本発明に係るパレット用識別器においては、無線識別タグが、フォークポケットに設けられているため、パレットに無線識別タグを設けるための貫通孔などを形成する必要がない。したがって、パレットに対して無線識別タグを取り付ける際に、その取付に掛かる手間を小さくすることができる。また、無線識別タグとフォークリフトにおけるフォークとの干渉を防止するフォーク干渉防止構造が形成されている。このため、フォークリフトのフォークとの接触による無線識別タグの損傷を防止することができる。
【００１０】
ここで、フォーク干渉防止構造は、パレットに取り付けられた無線識別タグを覆うタグホルダを備え、タグホルダは、パレットにおける内側面から突出してパレットに取り付けられており、タグホルダにおける側面に、パレットにおける内側面から遠ざかるほどタグホルダの内方向に変位する傾斜が形成されているようにすることができる。
【００１１】
このように、パレットに取り付けられた無線識別タグを覆うタグホルダを備えることにより、無線識別タグの損傷を防止することができる。さらに、タグホルダは、パレットにおける内側面から突出してパレットに取り付けられており、タグホルダにおける側面に、パレットにおける内側面から遠ざかるほどタグホルダの内方向に変位する傾斜が形成されている。このため、タグホルダに向かって移動してくるフォークをタグホルダから離れる方向に誘導することができる。したがって、フォークからタグホルダに伝達される力を小さくすることができるので、タグホルダの破損を防止し、さらにはタグホルダに格納された無線識別タグの破損を好適に防止することができる。
【００１２】
また、傾斜が、タグホルダにおけるフォークリフトにおけるフォークの挿入方向に対して相対する相対面に形成されているようにすることができる。
【００１３】
このように、傾斜が、タグホルダにおけるフォークリフトにおけるフォークに挿入方向に対して相対する相対面に形成されていることにより、より多く移動するフォークの移動方向に対するタグホルダの保護を図ることができる。
【００１４】
さらに、パレットは、天板と底板とを備えるとともに、底板で天板を支持させる内桁と外桁とを備え、内桁に内側面が形成されており、内側面にタグホルダが固定されているようにすることができる。
【００１５】
このように、タグホルダが内桁に設けられていることにより、パレットに荷物などを搭載する際に無線識別タグおよびタグホルダが邪魔にならないようにすることができる。
【００１６】
また、パレットにおける天板に、タグホルダを貫通させる貫通孔が形成され、タグホルダは、タグホルダ保持部に取り付けられており、タグホルダ保持部は、貫通孔を貫通してタグホルダを保持するとともに、パレットにおける天板に形成された貫通孔に係止されるフランジ部を備えるようにすることができる。このような構成とすることにより、タグホルダを容易に保持することができる。
【００１７】
さらに、フォーク干渉防止構造としてパレットの内側面にタグ収容部が形成され、タグ収容部に無線識別タグが収容され、無線識別タグを覆って蓋部材がタグ収容部に取り付けられており、蓋部材は、パレットの内側面に対して、面一または面一よりも凹んだ位置に配設されているようにすることができる。このような構成とすることにより、無線識別タグとフォークとの接触を防止することができ、蓋部材によって保護することができる。
【００１８】
他方、上記課題を解決した本発明に係るタグホルダは、上記パレット用識別器に用いられるタグホルダである。また、上記課題を解決した本発明に係るパレットは、上記のパレット用識別器が設けられているパレットである。
【発明の効果】
【００１９】
本発明に係るパレット用識別器およびパレット車体前部構造によれば、パレットに対して無線識別タグを取り付ける際に、その取付に掛かる手間を小さくするとともに、フォークリフトのフォークとの接触による無線識別タグの損傷を防止することができる。
【図面の簡単な説明】
【００２０】
【図１】（ａ）は、本発明の第１の実施形態に係るパレット用識別器が取り付けられたパレットの斜視図、（ｂ）は、その部分拡大図である。
【図２】パレット用識別器におけるタグホルダの斜視図である。
【図３】（ａ）は、比較例に係るタグホルダとフォークとの当接状態を示す模式図、（ｂ）は、本実施形態のタグホルダとフォークとの当接状態を示す模式図である。
【図４】第２の実施形態に係るパレット用識別器が取り付けられたパレットの要部拡大斜視図である。
【図５】（ａ）は、第３の実施形態に係るパレット用識別器の分解斜視図、（ｂ）は、そのパレット用識別器が取り付けられたパレットの要部拡大斜視図である。
【図６】本実施形態に係るパレットに取り付けられるパレット用識別器を示す斜視図である。
【図７】第５の実施形態に係るパレット用識別器が取り付けられたパレットの要部拡大斜視図である。である。
【発明を実施するための形態】
【００２１】
以下、添付図面を参照して本発明の実施形態について説明する。なお、図面の説明において同一の要素には同一の符号を付し、重複する説明を省略する。また、図示の便宜上、図面の寸法比率は説明のものと必ずしも一致しない。
【００２２】
〔第１の実施形態〕
まず、本発明の第１の実施形態について説明する。図１（ａ）は、本発明の第１の実施形態に係るパレット用識別器が取り付けられたパレットの斜視図、（ｂ）は、その部分拡大図、図２は、パレット用識別器におけるタグホルダの斜視図である。
【００２３】
図１（ａ）に示すように、パレット１は、天板である上面デッキ１１と底板である下面デッキ１２とを備えている。上面デッキ１１と下面デッキ１２との間には、内桁１３および外桁１４が設けられている。内桁１３はパレット１の中央に１本配置され、外桁１４はパレット１の縁部に２本配置されている。内桁１３および外桁１４は、いずれも長尺状の部材であり、互いに略平行に配置されており、内桁１３および外桁１４によって、下面デッキ１２に上面デッキ１１を支持させている。
【００２４】
また、内桁１３と外桁１４との間には、それぞれフォークリフトのフォークが挿入される挿入孔であるフォークポケット１５，１６が形成されている。フォークポケット１５，１６は、パレット１における一端面とこの一端面に相対する他端面との間を貫通して形成されており、一端面側の開口がフォークリフトのフォークの差し込み口となる。
【００２５】
さらに、内桁１３におけるフォークポケット１５側の面である内側面には、パレット用識別器Ｍ１が設けられている。パレット用識別器Ｍ１は、タグホルダ２、無線識別タグ３、および吊り下げ部材４を備えており、タグホルダ２は、図１（ｂ）および図２に示すように、吊り下げ部材４と一体的に形成されている。さらに、無線識別タグ３は、タグホルダ２に格納されている。
【００２６】
タグホルダ２は、内桁１３に取り付けられる取付面２１および取付面２１と相対し、パレット１の内側の露出する表側面２２を備えている。また、タグホルダ２は、取付面２１と表側面２２との間に、前側面２３、奥側面２４、および下側面２５を備えた立体形状をなしている。
【００２７】
タグホルダ２は、パレット１における内桁１３の内側面から突出してパレット１に取り付けられている。このため、タグホルダ２を格納するための凹部などをパレット１における内桁１３に形成することなく、タグホルダ２を内桁１３に取り付けることができる。また、タグホルダ２は合成樹脂製である。
【００２８】
さらに、タグホルダ２におけるフォークの挿入方向に対して相対する相対面である前側面には、傾斜が付与されている。前側面２３における傾斜は、パレット１における内桁１３の内側面から遠ざかるほど、タグホルダ２の内方向に変位する傾斜とされている。このため、前側面２３に付された傾斜は、フォークリフトのフォークの差し込み口から遠ざかるほど、内桁１３から遠ざかる方向に変位することとなる。
【００２９】
同様に、奥側面２４および下側面２５においても、パレット１における内桁１３の内側面から遠ざかるほど、タグホルダ２の内方向に変位する傾斜が付されている。このため、タグホルダ２における取付面２１の面積は、表側面２２の面積よりも大きいものとされている。さらに、タグホルダ２の上側面は、吊り下げ部材４に対して一体的に固定されている。
【００３０】
また、タグホルダ２における取付面２１には、タグ格納凹部２６が形成されており、このタグ格納凹部２６に対して無線識別タグ３が格納されている。タグホルダ２におけるタグ格納凹部２６に無線識別タグ３が格納されることにより、無線識別タグ３は、タグホルダ２によって保護されている。タグホルダ２に無線識別タグ３が格納されることで、無線識別タグ３とフォークリフトにおけるフォークとの干渉を防止するフォーク干渉防止構造が形成されている。
【００３１】
無線識別タグ３は、マイクロ波などの無線を使用して外部の読み取り装置または書き込み装置との間でデータの送受信をすることができるように構成されている。無線識別タグ３には、システムエリアおよびユーザエリアの各メモリ領域が設定されている。システムエリアでは、無線識別タグ３の固体番号を管理しており、タグ製造時に所定の初期情報が書き込まれている。ユーザエリアには、企業コード、積載商品コード、製造年月日、積載商品別数量、および納品先コードが読み込まれたり、書き換えられたりする。
【００３２】
吊り下げ部材４は、保持板４１および取付部材４２を備えており、タグホルダ２をパレット１における上面デッキ１１の上側から吊り下げて保持している。図１（ｂ）に示すように、パレット１における上面デッキ１１には、タグホルダ２を貫通させる貫通孔１７が形成されており、貫通孔１７における表面側には、保持板４１の外形と略同一形状の図示しない嵌合凹部が形成されている。吊り下げ部材４は、本発明のタグホルダ保持部を形成し、保持板４１がフランジ部を係止する。
【００３３】
吊り下げ部材４における保持板４１は、嵌合凹部に嵌め込まれて上面デッキ１１における嵌合凹部に保持されており、取付部材４２に取り付けられたタグホルダ２を吊り下げている。また、嵌合凹部は、内桁１３における内側面に沿って形成されており、吊り下げ部材４によって吊り下げられたタグホルダ２の取付面２１は、内桁１３の内側面に接して位置に配置されている。このため、タグホルダ２に格納された無線識別タグ３は、内桁１３とタグホルダ２とによって密閉された状態となっている。
【００３４】
次に、本実施に係るパレット用識別器の作用について説明する。本実施形態に係るパレット用識別器Ｍ１は、パレット１に取り付けられた無線識別タグ３を備えており、この無線識別タグ３が外部の読み取り装置等との間で無線通信を行うことにより、パレット１の管理を行うことができる。また、無線識別タグ３が内桁１３の内側面に取り付けられていることにより、フォークリフトで搬送している際の側方に読み取り装置等を配置して無線識別タグ３との間で無線通信を行う際に、感度との優れた無線通信を行うことができる。
【００３５】
ここで、無線識別タグ３は、フォークポケット１５に設けられているため、内桁１３等に無線識別タグ３を設けるための貫通孔などを形成する必要がない。したがって、パレット１に対して無線識別タグ３を取り付ける際に、その取付に掛かる手間を小さくすることができる。特に、既成のパレットに対して無線識別タグを追加して取り付ける際に、手間の軽減の効果が大きくなる。
【００３６】
また、パレット用識別器Ｍ１における無線識別タグ３が取り付けられる内桁１３の内側面は、フォークリフトのフォークが挿入されるフォークポケットに位置している。フォークポケットの幅は、フォークわずかに広い程度に設定されていることが多く、フォークを前後方向や上下方向に移動させることにより、フォークがパレット用識別器Ｍ１に接触することがある。
【００３７】
フォークがパレット用識別器Ｍ１に接触すると、無線識別タグ３の損傷に繋がってしまう。そこで、無線識別タグ３をタグホルダ２に格納することにより、タグホルダ２によって無線識別タグ３を保護している。タグホルダ２によって無線識別タグ３を保護することにより、ある程度の無線識別タグ３の損傷を防止することができる。
【００３８】
しかし、フォークリフトのフォークがタグホルダ２に強く衝突してしまい、タグホルダ２自体が損傷してしまうなどの事態が生じると、無線識別タグ３も損傷してしまうことが懸念される。このようなタグホルダ２の損傷を防止するため、本実施形態に係るパレット用識別器Ｍ１におけるタグホルダ２の側面２３〜２５には、パレット１における内桁１３の内側面から遠ざかるほど、タグホルダ２の内方向に変位する傾斜が付されている。
【００３９】
いま、このような傾斜が付与されていないタグホルダと、本実施形態に係るタグホルダ２とを比較して、本実施形態に係るタグホルダ２の作用について説明する。図３（ａ）に示すように、側面に傾斜が付与されていないタグホルダ２０が内桁１３に取り付けられている場合、パレット１におけるフォークポケットにフォークリフトのフォークＴが挿入されると、フォークＴがタグホルダ２０に接触することが考えられる。
【００４０】
このとき、タグホルダ２０における側面には傾斜が付与されていなことから、パレット１の挿入部に挿入されて接触したフォークＴが、そのままタグホルダ２０を進行方向に押し出してしまう。その結果、フォークＴからタグホルダ２０に対して大きな力が掛かり、タグホルダ２０およびタグホルダ２０に格納された無線識別タグ３を損傷させてしまう可能性が高いものとなる。
【００４１】
この点、本実施形態に係るタグホルダ２の前側面２３には、パレット１における内桁１３の内側面から遠ざかるほど、タグホルダ２の内方向に変位する傾斜が付されている。このため、図３（ｂ）に示すように、フォークポケットにフォークＴが挿入されてタグホルダ２に当接したとしても、タグホルダ２に形成された傾斜によってフォークＴをタグホルダ２から離れる方向に誘導することができる。したがって、フォークＴからタグホルダ２に伝達される力を小さくすることができるので、タグホルダ２の破損を防止し、さらにはタグホルダ２に格納された無線識別タグ３の破損を防止することができる。
【００４２】
図３では、フォークＴが前後方向に移動する場合のフォークＴとタグホルダ２との関係を説明しているが、フォークＴが上下動する場合も同様である。タグホルダ２における下側面２５には、やはりパレット１における内桁１３の内側面から遠ざかるほど、タグホルダ２の内方向に変位する傾斜が付されているため、フォークＴが上下動した場合フォークＴをタグホルダ２から離れる方向に誘導することができる。よって、タグホルダ２の破損を防止し、さらにはタグホルダ２に格納された無線識別タグ３の破損を防止することができる。
【００４３】
〔第２の実施形態〕
次に、本発明の第２の実施形態について説明する。図４は、第２の実施形態に係るパレット用識別器が取り付けられたパレットの要部拡大斜視図である。図４に示すように、本実施形態に係るパレット用識別器Ｍ２が取り付けられるパレット１は、上記第１の実施形態と同様に、上面デッキ１１に貫通孔１７が形成されている。また、パレット１における貫通孔１７が形成されている位置には、上記第１の実施形態と同様、図示しない嵌合凹部が形成されている。
【００４４】
また、パレット用識別器Ｍ２は、上記第１の実施形態と同様のタグホルダ２および無線識別タグ３を備えている点で共通する一方、タグホルダ２を吊り下げる吊り下げ部材５の構成が異なっている。図４に示すように、本実施形態における吊り下げ部材５は、板状の天板部５１を備えており、天板部５１の下面に板状の上部アタッチメント５２が高さ方向に延在するようにして取り付けられて固定されている。上部アタッチメント５２の側面には、嵌合孔５３が形成されている。
【００４５】
さらに、タグホルダ２における上側面には、板状の下部アタッチメント５４が高さ方向に延在するようにして取り付けられて固定されている。また、下部アタッチメント５４の側面には、嵌合突起５５が形成されている。下部アタッチメント５４の側面に形成された嵌合突起５５は、上部アタッチメント５２の側面に形成された嵌合孔５３に対して嵌合可能とされている。
【００４６】
以上の構成を有する本実施形態に係るパレット用識別器Ｍ２においては、上記第１の実施形態に係るパレット用識別器Ｍ１と同様に、フォークポケット１５に設けられているため、その取付に掛かる手間を小さくすることができる。また、タグホルダ２における前側面２３には、パレット１における内桁１３の内側面から遠ざかるほど、タグホルダ２の内方向に変位する傾斜が付されている。このため、タグホルダ２の破損を防止し、さらにはタグホルダ２に格納された無線識別タグ３の破損を防止することができる。
【００４７】
さらに、本実施形態に係るパレット用識別器Ｍ２では、上部アタッチメント５２に形成された嵌合孔５３に下部アタッチメント５４に形成された嵌合突起５５が嵌め込まれてタグホルダ２が吊り下げられている。このため、上部アタッチメント５２をパレット１における貫通孔１７に貫通させた後、タグホルダ２を取り付けることができる。したがって、タグホルダ２の取付を容易にすることができる。
【００４８】
〔第３の実施形態〕
続いて、本発明の第３の実施形態について説明する。図５（ａ）は、第３の実施形態に係るパレット用識別器の分解斜視図、（ｂ）は、そのパレット用識別器が取り付けられたパレットの要部拡大斜視図である。図５に示すように、本実施形態に係るパレット用識別器Ｍ３はタグホルダ６を備えており、タグホルダ６に無線識別タグ３が格納されている。
【００４９】
タグホルダ６は、表側面２２から取付面２１の間に位置決め用突起６１が形成されている点において異なっており、その他の点では上記第１の実施形態に係るタグホルダ２と外形と同様の構造をなしている。また、パレット用識別器Ｍ３は、両面テープからなる防水シート６２を備えており、防水シート６２は、タグホルダ２とパレットにおける内桁１３との間に介在されている。
【００５０】
さらに、タグホルダ６の位置決め用突起６１に対応するパレットの内桁１３における位置には、位置決め用凹部６３が形成されており、タグホルダ６におけるタグ格納凹部２６に対応する内桁１３の位置に、無線識別タグ３が予め実装されている。位置決め用凹部６３は、たとえば治具を使い、はんだごてで内桁１３に溶開して形成される。また、タグホルダ６における位置決め用突起６１には、スポンジゴムからなる防水パッキン６４が取り付けられ、防水パッキン６４は、タグホルダ６と内桁１３との間に介在される。
【００５１】
以上の構成を有する本実施形態に係るパレット用識別器Ｍ３においては、上記第１の実施形態に係るパレット用識別器Ｍ１と同様に、フォークポケット１５に設けられているため、その取付に掛かる手間を小さくすることができる。また、タグホルダ２における前側面２３には、パレット１における内桁１３の内側面から遠ざかるほど、タグホルダ２の内方向に変位する傾斜が付されている。このため、タグホルダ２の破損を防止し、さらにはタグホルダ２に格納された無線識別タグ３の破損を防止することができる。
【００５２】
また、本実施形態に係るパレット用識別器Ｍ３では、パレット１における内桁１３に直接タグホルダ６を取り付けているため、パレットにおける上面デッキ１１に貫通孔等を形成せずパレット１に取り付けることができる。したがって、パレット１に対するパレット用識別器Ｍ３の取付をその分容易に行うことができる。
【００５３】
〔第４の実施形態〕
さらに、本発明の第４の実施形態について説明する。図６は、本実施形態に係るパレットに取り付けられるパレット用識別器を示す斜視図である。図６に示すように、本実施形態に係るパレット用識別器Ｍ４は、タグホルダ７およびこのタグホルダ７が嵌合される嵌合孔１８を備えている。嵌合孔１８は、パレット１における内桁１３に形成されている。さらに、パレット１における上面デッキ１１の表面側には、嵌合凹部１１Ａが形成されており、タグホルダ７は、嵌合凹部１１Ａに嵌め込まれるアタッチメント８に取り付けられている。
【００５４】
タグホルダ７は、直方体状のタグホルダ本体７１と、タグホルダ本体７１の側方に形成されたフランジ部７２とを備えている。フランジ部７２は、タグホルダ本体７１における長辺に沿って形成されており、タグホルダ本体７１の短辺のうちの一方がアタッチメント８に取り付けられている。
【００５５】
また、タグホルダ７には、タグ収容凹部７３が形成されており、タグ収容凹部７３には、無線識別タグ３が収容されており、タグホルダ本体７１が無線識別タグ３を覆ってタグ収容凹部７３に取り付けられている。タグホルダ本体７１は、本発明の蓋部材となり、タグ収容凹部７３は、タグ収容部となる。
【００５６】
嵌合孔１８は、タグホルダ７を収容可能に形成されており、タグホルダ本体７１を収容する本体孔部１８Ａおよびタグホルダ７を収容した際にフランジ部７２の外側に位置する突出片１８Ｂを備えている。さらに、嵌合孔１８における長辺側の略中央位置には、排水溝１８Ｃが形成されている。
【００５７】
アタッチメント８は、板状のアタッチメント本体８１を備えており、アタッチメント本体８１にタグホルダ７が取り付けられている。さらに、アタッチメント本体８１には、爪部材８２が設けられており、パレット１の上面デッキ１１に形成された嵌合凹部１１Ａには、爪部材８２と鉤部１１Ｂが形成されている。アタッチメント８における爪部材８２とパレット１における鉤部１１Ｂが噛み合わされて、アタッチメント８およびアタッチメント８に取り付けられたタグホルダ７がパレット１に対して固定される。
【００５８】
また、パレット１の上面デッキ１１における嵌合凹部１１Ａが形成された位置であって、内桁１３に形成された嵌合孔１８の上方に貫通孔が形成されている。この貫通孔をタグホルダ７が貫通し、タグホルダ７が嵌合孔１８に嵌合されている。嵌合孔１８に嵌合されたタグホルダ７は、内桁１３の表面と面一または面一よりも凹んだ位置に配設されている。こうして、無線識別タグ３を格納するタグホルダ７が、内桁１３に形成された嵌合孔１８に嵌合されることにより、フォーク干渉防止構造が形成されている。
【００５９】
以上の構成を有する本実施形態に係るパレット用識別器Ｍ４においては、上記第１の実施形態に係るパレット用識別器Ｍ１と同様に、フォークポケット１５に設けられているため、その取付に掛かる手間を小さくすることができる。また、嵌合孔１８に嵌合されたタグホルダ７は、内桁１３の表面と面一または面一よりも凹んだ位置に配置されていることにより、フォークポケット内にフォークが挿入された場合でも、フォークとタグホルダ７との干渉が防止される。このため、タグホルダ７の破損を防止し、さらにはタグホルダ７に格納された無線識別タグ３の破損を防止することができる。また、嵌合孔１８には、排水溝１８Ｃが形成されている。このため、タグホルダ７の裏面側に水分が浸入した場合でも、浸入した水分を容易に排出することができる。
【００６０】
〔第５の実施形態〕
続いて、本発明の第５の実施形態について説明する。図７は、本実施形態に係るパレット用識別器が取り付けられたパレットの要部拡大斜視図である。図７に示すように、本実施形態に係るパレット用識別器Ｍ５は、タグホルダ９およびタグホルダ９に格納される無線識別タグ３を備えている。タグホルダ９は、上記第１の実施形態におけるタグホルダ２と比較して、取付部材４２に取り付けられていない点が異なっている。
【００６１】
また、タグホルダ９における上側面にも、他の側面と同様に、パレット１における内桁１３の内側面から遠ざかるほど、タグホルダ９の内方向に変位する傾斜が付されている。こうして、タグホルダ９における四方の側面には、それぞれこのような傾斜が付されている。さらに、タグホルダ９は、パレット１の内桁１３に対して、図示しない両面テープなどの貼着テープで貼り付けられている。また、貼着テープとしては、そのガムテープやビニールテープなどの適宜のものを用いることもできる。さらには、貼着テープ以外の接着剤などを用いることもできる。
【００６２】
以上の構成を有する本実施形態に係るパレット用識別器Ｍ５においては、上記第１の実施形態に係るパレット用識別器Ｍ１と同様に、フォークポケット１５に設けられているため、その取付に掛かる手間を小さくすることができる。また、タグホルダ９における前側面２３には、パレット１における内桁１３の内側面から遠ざかるほど、タグホルダ９の内方向に変位する傾斜が付されている。このため、タグホルダ９の破損を防止し、さらにはタグホルダ９に格納された無線識別タグ３の破損を防止することができる。
【００６３】
また、本実施形態に係るパレット用識別器Ｍ３におけるタグホルダ９は、貼着テープによって内桁１３に貼り付けられてパレット１に取り付けられている。このため、パレットにおける上面デッキ１１に貫通孔等を形成せずパレット１に取り付けることができる。したがって、パレット１に対するパレット用識別器Ｍ５の取付をその分容易に行うことができる。
【符号の説明】
【００６４】
１…パレット、２…タグホルダ、３…無線識別タグ、４…吊り下げ部材、１１…上面デッキ、１２…下面デッキ、１３…内桁、１４…外桁、１５，１６…フォークポケット、１７…貫通孔、２１…取付面、２２…表側面、２３…前側面、２４…奥側面、２５…下側面、２６…タグ格納凹部、Ｍ…パレット用識別器、Ｔ…フォーク。
【図１】
2013237455.tif 000003
【図２】
2013237455.tif 000004
【図３】
2013237455.tif 000005
【図４】
2013237455.tif 000006
【図５】
2013237455.tif 000007
【図６】
2013237455.tif 000008
【図７】
2013237455.tif 000009